(57)【要約】  【課題】  バッテリー収納部からバッテリーを確実に排出する。  【解決手段】  電子機器１は、筐体２と、筐体２内に設けられたバッテリー収納部６９と、該収納部６９に挿入されたバッテリーで押圧されて畜勢されるバッテリー排出用のバネ１６１と、を備えている。バッテリー排出用のバネ１６１は、バネ力発生部１６２と、バネ力発生部１６２の一端部に設けられた第１のアーム部１６３と、バネ力発生部１６２の他端部に設けられていて第１のアーム部１６３に対して所定の開き角度をもって伸びる第２のアーム部１６４と、第１のアーム部１６３の端部に設けられた第１の軸部１６５と、第２のアーム部１６４の端部に設けられた第２の軸部１６６と、を備えている。前記第１の軸部１６５は、前記筐体に設けた第１の軸受部１７２に取り付けられ、前記第２の軸部１６６は、前記筐体に設けた第２の軸受部１７３にスライド可能に取り付けられている。  【選択図】  図６
2006220785.tif 000002
【特許請求の範囲】
【請求項１】
筐体と、該筐体内に設けられたバッテリー収納部と、該バッテリー収納部に挿入されたバッテリーで押圧されて畜勢されるバッテリー排出用のバネと、を備え、
前記バッテリー排出用のバネは、バネ力発生部と、該バネ力発生部の一端部に設けられた第１のアーム部と、前記バネ力発生部の他端部に設けられていて前記第１のアーム部に対して所定の開き角度をもって伸びる第２のアーム部と、前記第１のアーム部の端部に設けられた第１の軸部と、前記第２のアーム部の端部に設けられた第２の軸部と、を備え、
前記第１の軸部は、前記筐体に設けた第１の軸受部に取り付けられ、前記第２の軸部は、前記筐体に設けた第２の軸受部にスライド可能に取り付けられていることを特徴とする電子機器。
【請求項２】
前記バッテリー排出用のバネは、弾性を有する一本の金属線を折り曲げた線細工バネとして形成されていることを特徴とする請求項１に記載の電子機器。
【請求項３】
前記第２のアーム部は、前記第１のアーム部よりも短目に形成されていて、前記バッテリー排出用のバネが前記バッテリーで押圧されたときに前記第２の軸部は、前記第２の軸受部内を前記第１の軸部に接近する方向にスライドすることを特徴とする請求項１に記載の電子機器。
【請求項４】
前記第１のアーム部と前記第２のアーム部は、一直線状に形成されていることを特徴とする請求項２に記載の電子機器。
【請求項５】
前記第１のアーム部は、バッテリーで押されたときに略一直線状に伸びるように予め湾曲させた状態に形成されていることを特徴とする請求項２に記載の電子機器。
【請求項６】
前記第１の軸部と前記第２の軸部とは、互いに向き合う方向に折り曲げ形成されていることを特徴とする請求項１に記載の電子機器。
【請求項７】
前記第１の軸部と前記第２の軸部とは、互いに同方向に向けて折り曲げ形成されていることを特徴とする請求項１に記載の電子機器。
【請求項８】
前記バネ力発生部の幅は、前記第１のアーム部と前記第２のアーム部の間の幅よりも大に形成されていることを特徴とする請求項１に記載の電子機器。
【発明の詳細な説明】
【技術分野】
【０００１】
本発明は、バッテリーを電源として使用する電子機器に関するものである。
【背景技術】
【０００２】
電子機器、例えばデジタルカメラ等の所謂携帯型の電子機器としてバッテリーを電源として使用するものが知られている。上記バッテリーを電源として使用する電子機器は、筐体内にバッテリーを収納するバッテリー収納部を備えていて、該バッテリー収納部内にバッテリーを挿入して、該バッテリーを前記バッテリー収納部内に装填するようになっている。前記バッテリーを充電する際には、前記バッテリー収納部からバッテリーを抜き取るようになっている。
【０００３】
前記電子機器において、前記バッテリー収納部からバッテリーを抜き取り易くするために、バッテリー排出用のバネを設けたものが知られている。
【０００４】
前記バッテリー排出用のバネには、例えば図４３に示すようなコイルバネ２０１が使用されている。そして、バッテリー２０２をバッテリー収納部２０３内に挿入すると、前記バッテリー２０２の先端面２０２ａで前記コイルバネ２０１が圧縮されて蓄勢され、前記バッテリー２０２がバッテリー収納部２０３内の所定の位置まで挿入されると、バッテリーロック部材２０４によって前記バッテリー２０２がロックされると共に、バッテリーカバー２０５が閉じられた状態になる。そして、前記バッテリーロック部材２０４のロックを解除すると、前記バッテリーカバー２０５が開くと共に、前記バッテリー２０２が前記コイルバネ２０１に蓄勢されたバネ力によって、前記バッテリー２０２をバッテリー収納部２０３内から押し出されるようになっている。（例えば、特許文献１）
【特許文献１】特開２００１−２２３４８０号公報
【発明の開示】
【発明が解決しようとする課題】
【０００５】
ところで、上記従来のバッテリー排出用のバネにコイルバネ２０１を使用した電子機器には次に述べるような問題点があった。
（１）図４４に示すように、バッテリー２０２がバッテリー収納部２０３内に収納され、前記コイルバネ２０１が圧縮された状態においても、前記コイルバネ２０１は、その巻数に応じた高さ（長さ）Ｈを有するので、少なくとも前記高さＨを有するバネ収納スペース２０６を必要とする。前記高さＨを最小限にするため、例えば図４５に示すような円錐形状等のコイルバネ２０１を使用し、圧縮されたときに図４６に示すように、フラット状になるようにして、前記バネ収納スペース２０６の高さＨを低くすることも考えられるが、円錐形状等のコイルバネ２０１を使用した場合に、その巻き数が多くなると必然的に最大径が大になり、バネ収納スペース２０６の直径が大になる。
（２）バッテリー排出用のバネにコイルバネ２０１を使用した場合は、図４３に示すバッテリー未挿入時において、前記コイルバネ２０１の先端はフリーの状態になっていて、所謂予圧は付与されておらず（バネ力は発生しておらず）、バッテリー２０２を挿入して、該バッテリー２０２により前記コイルバネ２０１が圧縮されて初めてバネ力が発生する。そして、バッテリー２０２がバッテリー収納部２０３内に完全に収容された状態において、前記コイルバネ２０１のバネ力は最大になる。従って、バッテリー２０２をバッテリー収納部２０３内に挿入する際には、挿入する力を徐々に上昇させて行かなければならず、最初から略均一な力でバッテリー２０２を挿入することができない。また、上述したように前記コイルバネ２０１には予圧が付与されていないために、バッテリー排出時においてバッテリーの質量等により、図４３に示すコイルバネ２０１の先端の位置まで確実にバッテリー２０２を排出することができない場合が生じる。
【０００６】
本発明の目的は、従来のバッテリー排出用のバネにコイルバネを使用する場合に比べてバネ収納スペースを小さくすることのできる電子機器を提供することにある。
【０００７】
また、本発明の他の目的は、バッテリーをバネ収納スペース内に挿入する際に、前記バッテリー排出用のバネを略均一の力で押圧することのできる電子機器を提供することにある。
【課題を解決するための手段】
【０００８】
本発明は、筐体と、該筐体内に設けられたバッテリー収納部と、該バッテリー収納部に挿入されたバッテリーで押圧されて畜勢されるバッテリー排出用のバネと、を備え電子機器において、前記バッテリー排出用のバネを、バネ力発生部（トーションバネ部）と、該バネ力発生部の一端部に設けられた第１のアーム部と、前記バネ力発生部の他端部に設けられていて前記第１のアーム部に対して所定の開き角度をもって伸びる第２のアーム部と、前記第１のアーム部の端部に設けられた第１の軸部と、前記第２のアーム部の端部に設けられた第２の軸部と、で略Ｖ字状に形成し、前記第１の軸部を、前記バッテリーで押圧されたときに回動可能に前記筐体に設けた第１の軸受部に取り付け、前記第２の軸部を、前記バッテリーで押圧されたときに移動可能に前記筐体に設けた第２の軸受部に取り付けた。
【発明の効果】
【０００９】
本発明の電子機器にあっては、前記バネ力発生部により発生させたバネ力で前記第２の軸部を前記筐体に設けた第２の軸受部の一端部に当接（圧接）させることにより、前記バッテリー排出用のバネの先端に所望の予圧を付与することができる。従って、前記予圧によって、前記バッテリー排出用のバネの先端の位置まで確実にバッテリーを排出することが可能になる。また、前記バッテリー収納部に挿入されてきたバッテリーで前記バッテリー排出用のバネのバネ力発生部が押圧されると、前記第２の軸部が前記第２の軸受部内を逃げ方向に移動して、前記バッテリー排出用のバネのバネ力が上昇するのを抑制する。
【発明を実施するための最良の形態】
【００１０】
以下、本発明の電子機器を、（１）電子機器全体の概略構成、（２）バッテリー輩出用のバネの構成、（３）バッテリー収納部の蓋の構成、（４）バッテリーリリースレバーの構成、（５）メモリーカード収納部の蓋の構成、（６）筐体の構成、（７）バリヤの構成、（８）ローラの構成、（９）バリヤスライドガイド部の構成、（１０）トグルバネの構成、（１１）ストラップ金具の構成、の順に説明する。
（１）電子機器全体の概略構成、
図１Ａ、図１Ｂは本発明の電子機器としてのデジタルスチルカメラを第１の主面（正面）側から見た斜視図、図２は本発明のデジタルカメラを第２の主面（裏面）側から見た斜視図である。
【００１１】
前記デジタルカメラ１は、前記扁平な直方体形状の筐体２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１２】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構８の一部が突出している。
【００１３】
前記バリヤ７は、略矩形状に形成されていて、四隅部には、前記筐体２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記筐体２の第１の主面３上を前記第１の位置と前記第２の位置の相互で移動するようになっている。
【００１４】
前記第１のバリヤスライドガイド部１５は、後に筐体の構成の項で詳しく説明するように、筐体２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記筐体２側に設けた第２のバリヤ係合体２６と、バリヤ側に設けられていて前記第２のバリヤ係合体２６がスライド可能に重合するレール状の第２のバリヤ係合体係合部９２と、からなっている。
【００１５】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００１６】
前記筐体２内にはメモリーカード等の記録媒体収納部（以下、メモリーカード収納部と称する）６６が設けられている。前記第１の主面３と前記第２の主面５１を結ぶ第２の端面（下端面）６５側には、前記メモリーカード収納部６６の開口部が設けられていて、該開口部はメモリーカード収納部用の蓋（以下、メモリーカード蓋と称する）６７で開閉される。また、前記筐体２内にはバッテリー収納部６９が設けられている。前記第１の主面３と前記第２の主面５１を結ぶ第３の端面（右側端面）６８には、前記バッテリー収納部６９の開口部を開閉するバッテリー蓋７０と、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。また、前記バッテリー収納部６９の奥端面には、バッテリー接触端子１１２とバッテリー排出用のバネ１６１が設けられている。
【００１７】
前記バッテリー収納部６９にバッテリーを挿入すると、該バッテリーの先端面で前記バッテリー排出用のバネ１６１が押圧されて、該バッテリー排出用のバネ１６１は蓄勢されて行く。バッテリーがバッテリー収納部６９内に収納されると、前記バッテリーの先端面に設けた端子が前記バッテリー収納部６９の奥端面に設けたバッテリー接触端子１１２と接触する。そこで、前記バッテリーリリースレバー７１の先端で前記バッテリーの背面を押さえて、バッテリーがバッテリー収納部６９から抜け出るのを防止する。
【００１８】
バッテリーをバッテリー収納部６９から抜き出す際には、前記バッテリーリリースレバー７１による前記バッテリーの背面の押さえを解除すると、バッテリーは、前記バッテリー排出用のバネ１６１のバネ力で前記バッテリー収納部６９から所定量押し出される。
（２）バッテリー排出用のバネの構成、
図３に示すように、前記バッテリー排出用のバネ１６１は、バネ力発生部（トーションバネ部）１６２と、該バネ力発生部１６２の一端部に設けられた第１のアーム部１６３と、前記バネ力発生部１６２の他端部に設けられた第２のアーム部１６４と、前記第１のアーム部１６３の端部に設けられた第１の軸部１６５と、前記第２のアーム部１６４の端部に設けられた第２の軸部１６６と、を備えている。
【００１９】
図４の平面図に示すように、前記第１のアーム部１６３と第２のアーム部１６４は、略平行に配置されている。前記第１のアーム部１６３の長さＬ１は、前記第２のアーム部１６４の長さＬよりも長め（Ｌ１＞Ｌ２）に形成されている。また、図５の側面図に示すように、前記第１のアーム部１６３と前記前記第２のアーム部１６４は、所定の開き角度θ１で開いた状態になっている。
【００２０】
前記第１の軸部１６５は、前記第１のアーム部１６３の端部を内側、即ち前記第２のアーム部１６４側に向けて略直角に折り曲げることにより形成されている。また、前記第２の軸部１６６は、前記第２のアーム部１６４の端部を内側、即ち前記第１のアーム部１６３側に向けて略直角に折り曲げることにより形成されている。前記バッテリー排出用のバネ１６１は、弾性を有する一本の金属線を折り曲げることにより所謂線細工バネとして構成されている。
【００２１】
図６に示すように、前記第１の軸部１６５は、前記筐体に設けたバネ取付部１７１の一側面１７１ａに設けた第１の軸受部（軸受穴）１７２に回転可能に取り付けられている。また、前記第２の軸部１６６は、バネ取付部１７１の他側面１７１ｂ設けた長溝状の第２の軸受部１７３内にスライド可能に取り付けられていて、バッテリー挿入時に前記バネ力発生部１６２が押されると、前記長溝状の第２の軸受部１７３内をその長さ方向に沿ってスライドするようになっている。
【００２２】
次に、前記バッテリー排出用のバネ１６１の作用を図７に示す模式図を参照して説明する。図７において、１６１はバッテリー排出用のバネ、１６２はバネ力発生部、１６３は第１のアーム部、１６４は第２のアーム部、１６５は第１の軸部、１６６は第２の軸部、１７２は第１の軸受部、１７３は第２の軸受部、Ｎは前記第１の軸部１６５と前記第２の軸部１６６の間の距離である。
【００２３】
２点鎖線で示す第１のアーム部１６２と第２のアーム部１６４の間の開き角度θ１を実線で示す開き角度θ２に圧縮した状態で第１の軸部１６５を第１の軸受部１７２に挿入し、第２の軸部１６６を第２の軸受部１７３に挿入すると、前記バネ力発生部１６２が捻られて発生するモーメント（バネ力）Ｔｆにより前記第２の軸部１６６に力Ｆが生じる。前記力Ｆは分力Ｆｘ、分力Ｆｙに分解され、前記分力Ｆｘにより前記第２の軸部１６６は前記長溝状の第２の軸受部１７３の一端部に押し付けられる。前記分力Ｆｙの反力Ｆｙ´によって、第１の軸部１６５に回転方向の力Ｔｐ（Ｔｐ＝Ｆｙ×Ｎ）を発生させる。前記力Ｔｐによりバッテリー排出用のバネ１６１の先端のバネ力発生部１６２に力Ｐを発生させる。そして、前記力Ｐの分力Ｐｙがバッテリー排出力として作用する。
【００２４】
次に、前記第２の軸受部１７２内をスライド移動する前記第２の軸部１６６の作用について説明する。バッテリーをバッテリー収納部内に挿入する前は、図８に示すように、前記第２の軸部１６６が前記第２の軸受部１７３の一端部に当接して、前記バッテリー排出用のバネ１６１は、所定の傾斜角度で傾斜した状態になっている。バッテリーをバッテリー収納部内に挿入すると、図９に示すように、挿入したバッテリー１１１によって前記バネ力発生部１６２が押されて、前記第２の軸部１６６が前記第２の軸受部１７２内を前記第１の軸部１６５側に向かって移動し、バッテリー排出用のバネ１６１全体が倒れるように傾斜して行く。
【００２５】
前記ＰＹが増大する要素としては、前記バネ力発生部１６２の変位量（捻れ量）の増加による前記Ｔｆの増加、前記Ｆの作用角θ３の減少による前記Ｆｙの増加などが挙げられるが、前記Ｔｐ（Ｔｐ＝Ｆｙ×Ｎ）を算出するのに使用されるＦｙの作用点、即ち、前記第１の軸部１６５と第２の軸部１６６を接近させて、前記Ｎを減少させることで前記ＴＦが増大するのを抑制することができるのである。前記第１のアーム部１６３の長さＬ１と第２のアーム部１６４の長さＬ２を近づけていくことにより、図８に示す状態よりも図９に示す状態の方を前記バッテリー１１１に作用する力Ｐｙを小さくする設定が可能になる。つまり、仮想のバネ定数（圧縮コイルスプリングで考えた場合のストロークと荷重の関係値）自由に設定可能になるのである。すなわち、例えば大きな径のコイルスプリングを用いるならば、そのストロークの中の２点で、その２点間を変位させても負荷が殆ど変わらない様な撓み特性の部分を持たせることは容易に可能である。本発明は、このような特性の部分を限られたスペースの中で具現化可能にしたものである。
【００２６】
前記第１のアーム部１６３を一直線状に形成した場合に、バッテリーを挿入した時に、図１０に示すように、前記第１のアーム部１６３が盛り上がるように湾曲して、バッテリー収納部へのバッテリーの収納に支障を来す虞がある場合がある。
【００２７】
このような場合には、図１１に示すように、前記第１のアーム部１６３を予め湾曲させておいて、バッテリーが挿入された時に、図１２に示すように、前記第１のアーム部１６３が一直線状に伸びるようにして、上記不具合を解消することができる。
【００２８】
図１３及び図１４に示すように、前記バネ力発生部１６２の幅Ｗ１を、前記第１のアーム部１６３と第２のアーム部１６４の間の幅Ｗ２よりも大になるように形成してもよい。前記バネ力発生部１６２の幅Ｗ１を、前記第１のアーム部１６２と第２のアーム部１６４の間の幅Ｗ２よりも大にすることにより、前記前記バネ力発生部１６２をバッテリーの先端面に確実に当接させることができる。また、上記実施例では、前記第１の軸部１６５と前記第２の軸部１６６を互いに向き合う方向に形成した場合を示したが、図１４に示すように、前記第１の軸部１６５と前記第２の軸部１６６を互いに背反する方向に形成してもよい。また、図１５に示すように、前記第１の軸部１６５と前記第２の軸部１６６を同じ方向に向けて形成してもよい。
【００２９】
なお、上記実施例では、図６に示したように、第２の軸部１６６をスライド可能に、第１の軸部１６５を回転可能に構成したが、これとは逆に第２の軸部１６６を回転可能に、第１の軸部１６５をスライド可能に構成しても同じ効果が得られる。  なお、上記実施例においては、本発明の電子機器として撮像装置としてのデジタルカメラを例にとって説明したが、本発明を適用する電子機器は、デジタルカメラ等の撮像装置のほか、例えば、携帯電話機、携帯型のゲーム機、携帯型のコンピュータ等のバッテリーを使用する電子機器に広く適用される。また、上記バネ構造は、電子機器のバッテリー排出装置に限定されるものではなく、各種のメカ機構の排出装置やテープカセット、ディスクカートリッジ等の記録媒体のの排出装置、更には、各種の産業用機器や自動車等から玩具など一般用機器まで広く活用可能であるのは勿論のことである。
（３）バッテリー収納部の蓋（バッテリー蓋）の構成、
図２１に示すように、前記第１の主面３と前記第２の主面５１を結ぶ端面６８には、前記バッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００３０】
前記バッテリー蓋７０は、軸１０１により前記筐体２に回動可能に取り付けられていて、前記軸１０１を中心にして時計方向に回動させると、図２１に示すように、前記筐体２の端面６８上に重なって、前記開口部６９ａを閉じる。また、図２１に示す状態から反時計方向に略１００°回動させると、図２２に示すように、前記バッテリー蓋７０は、開いた状態になり前記ストラップ金具７２に重なって更なる回動を規制されて前記ストラップ金具７２によって保護される。
【００３１】
図２３に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２５Ａ，図２５Ｂ， 図２５Ｃに示すように筐体２側に設けたバネ当接面１０２に接触している。
【００３２】
前記バッテリー蓋７０の閉塞時においては、図２５Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図２５Ａに示す状態から前記バッテリー蓋７０を開放方向（矢印Ｂ方向）に回動させると、前記バネ部１０２は前記バネ当接面１０３で押されて変形して行き、図２５Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２５ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２５Ｃに示すように、前記ストラップ金具７２に押し付けられて、前記筐体２の開口部６９ａを開放した状態に維持される。
（４）バッテリーリリースレバーの構成、
前記バッテリーリリースレバー７１は、図２１、図２２に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００３３】
図２６に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に挿入する。バッテリー１１１をバッテリー収納部６９に挿入すると、前記バッテリー１１１の先端面で、前記バッテリー排出用のバネ１６１が押されて撓んで蓄勢される。そして、バッテリー１１１の先端面に設けた端子が前記バッテリー収納部６９の奥端面に設けたバッテリー端子に接触する。
【００３４】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図２７に示すように、前記バッテリー蓋７０を閉じてバッテリー１１１の挿入作業が終了する。
【００３５】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力等によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００３６】
そこで、図２６に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図２８に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００３７】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図２９に示すように、バッテリー１１１は前記バッテリー排出用のバネ１６１のバネ力によりバッテリー収納部６９から押し出される。
【００３８】
前記バッテリー排出用のバネ１６１のバネ力によりバッテリー１１１が押し出された後に、前記バッテリーリリースレバー７１をバッテリー１１１に移動させれば、図３０に示すように、前記バッテリーリリースレバー７１のバッテリー係合部１０６の上面の傾斜状のバッテリー押出面１０６ａで前記バッテリー１１１のフレーム１１１ａに設けた傾斜面１１１ｂを押して前記バッテリー１１１を更にバッテリー収納部６９から押し出す。なお、前記バッテリーリリースレバー７１のバッテリー押出面１０６ａを使用してバッテリー１１１をバッテリー収納部６９から押し出す必要のないように前記バッテリー排出用のバネ１６１のバネ力によりバッテリー１１１をバッテリー収納部６９から押し出してもよい。
（５）メモリーカード収納部の蓋（メモリーカード蓋）の構成、
メモリーカード蓋６７は、メモリーカード収納部６６の開口部を開閉するものであり、図３６の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００３９】
前記モリーカード蓋６７は、蓋回動機構１４３により前記筐体２に取り付けられていて、前記メモリーカード収納部６６の開口部６６ａを閉塞する第１の位置（図３６）と、前記開口部６６ａを開放する第２の位置（図３８）との間で回動可能に前記筐体２に取り付けられている。
【００４０】
前記蓋回動機構１４３は、前記メモリーカード蓋６７の回動支点軸１４４と、前記前記回動支点軸１４４を前記筐体２に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００４１】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００４２】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００４３】
また、図３９に示すように、前記メモリーカード蓋６７を閉じたときに、前記回動支点軸１４４を前記長溝状の軸受１４５のメモリーカード１４８の挿入方向Ａの端部側に押し付け（図３６）、前記メモリーカード蓋６７を開いたときに前記回動支点軸１４４を前記長溝状の軸受１４５のメモリーカード１４８の排出方向Ｂの端部側に押し付ける（図３８）ためのクリック機構１５１を備えている。
【００４４】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００４５】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図４２は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００４６】
実施例のメモリーカード蓋６７は、上述のような構成であって蓋を閉じた状態においては、図３６に示すように、メモリーカード蓋６７の外面は、筐体２の外面と略面一の状態になる。そして、メモリーカード蓋６７を開くと、該メモリーカード蓋６７は、徐々に筐体２から突出していき、全開状態にすると、図３８に示すように、前記メモリーカード蓋６７は、主面重合部１４２の高さだけ前記筐体２の第２の主面５１から突出し、前記端面重合部（蓋本体部）１４１が前記第２の主面５１に対して平行状態になる。
（６）筐体の構成、
図１６は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００４７】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動機構８の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００４８】
図１７の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００４９】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００５０】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００５１】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００５２】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００５３】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００５４】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００５５】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。前記ベースプレート２１に設けた第１の開口部２２はアイリスカバーシート５０で塞がれて、前記第１の開口部２２から筐体２内への塵埃等の侵入が阻止される。なお、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。
（７）バリヤの構成、
図１７に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００５６】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００５７】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００５８】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００５９】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（８）ローラの構成、
図１８に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００６０】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００６１】
そして、前記内側体８１を前記筐体２の前記第１の主面３に重ね合わせると、前記第１〜第４のローラ１１〜１４が前記筐体２の前記第１の主面３に接触するようになっている。
（９）バリヤスライドガイド部の構成、
バリヤスライドガイド部は、文字通り前記バリヤ７の移動をガイドするものであり、図１９に示すように、前記バリヤ７の一側部に第１のバリヤスライドガイド部１５が配置され、他側部に第２のバリヤスライドガイド部１６が配置されている。
【００６２】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００６３】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００６４】
図１９Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図１９（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（１０）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００６５】
図２０に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００６６】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図１７参照）の切起片８８に設けられた第２のバネ係止部８７に回動可能に係止されている。
【００６７】
前記トグルバネ１７は、前記バリヤ７が前記第１の位置に在るときには、図１９Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図１９Ｂに示すように、前記第１,第２のバリヤ係合体２５,２６に第２のストッパー部１９を押し付けて前記バリヤ７を閉塞状態に維持する。
（１１）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００６８】
前記ストラップ金具７２は、図２及び図２１に示すように、前記筐体２の端面６１の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００６９】
図３２は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００７０】
そして、図３２に示すように、カメラ１の略真横から前記マルチコネクター接続端子７３に端子１２５を挿入すれば、図３３に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００７１】
図３４は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００７２】
前記マルチコネクター１２１をカメラ１から外す場合には、前記係合解除釦１２８を押圧すれば、図３５に示すように、前記係合部１２７は、前記バネ１２９の付勢力に抗して逃げ方向に回動して、前記溝状の被係合部１１５との係合が外れてカメラ１から取外し可能な状態になる。
【００７３】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図１７〜図３１等は、撮像装置の各部を平面的に見たものであり、曲面や傾斜面、円筒面等については曲率半径や傾斜角度等に若干の相違があったとしてもそれは作図上のものであって同一符合部分は同一の部分を示す。また、図１、図２等の撮像装置の立体図と、図２１、図２２等に示す撮像装置の立体図との間において、曲面や傾斜面、円筒面等についても曲率半径や傾斜角度等に若干の相違があったとしてもこれも作図上のものである。また、断面図において、一部、ハッチング線を省略した。
【図面の簡単な説明】
【００７４】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】第１の実施例のバッテリー排出用のバネの斜視図。
【図４】バッテリー排出用のバネの平面図。
【図５】バッテリー排出用のバネの側面図。
【図６】バッテリー排出用のバネを取付けた状態の斜視図。
【図７】バッテリー排出用のバネの作用を説明するための模式図。
【図８】バッテリーが挿入される前のバッテリー排出用のバネの状態を示す側面図。
【図９】バッテリーが挿入されてバッテリー排出用のバネが押された状態を示す側面図。
【図１０】バッテリーが収納された後のバッテリー排出用のバネの状態を示す側面図。。
【図１１】第１のアーム部を予め湾曲させた場合の側面図。
【図１２】湾曲させた第１のアーム部がバッテリーによって一直線状に伸びた状態の側面図。
【図１３】バッテリー排出用のバネの第２の実施例の斜視図。
【図１４】バッテリー排出用のバネの第３の実施例の斜視図。
【図１５】バッテリー排出用のバネの第４の実施例の斜視図
【図１６】バリヤを取外した状態の斜視図。
【図１７】バリヤの分解斜視図。
【図１８】ローラの取付けを示す斜視図。
【図１９Ａ】トグルバネの作用を示す説明図。
【図１９Ｂ】トグルバネの作用を示す説明図。
【図２０】トグルバネの説明図。
【図２１】バッテリー蓋を閉じた状態の斜視図。
【図２２】バッテリー蓋を開いた状態の斜視図。
【図２３】バッテリー蓋と軸を示す斜視図。
【図２４】バッテリー蓋に軸を取付けた状態の正面図。
【図２５Ａ】軸の一端部に設けたバネ部の作用を示す説明図。
【図２５Ｂ】軸の一端部に設けたバネ部の作用を示す説明図。
【図２５Ｃ】軸の一端部に設けたバネ部の作用を示す説明図。
【図２６】バッテリー蓋を開いてバッテリーを収納する前の状態を示す斜視図。
【図２７】バッテリーを収納しバッテリー蓋を閉じた状態を示す斜視図。
【図２８】バッテリーリリースレバーが押し戻せなくなった状態を示す説明図。
【図２９】バッテリー収納部内の端子によりバッテリーが押出された状態の説明図。
【図３０】バッテリーリリースレバーでバッテリーを押出す状態を示す説明図。
【図３１】ストラップ金具の側面図。
【図３２】カメラにマルチコネクターを取付ける前の状態の斜視図。
【図３３】カメラにマルチコネクターを取付けた状態の斜視図。
【図３４】マルチコネクターがストラップ金具にロックされている状態の断面図。
【図３５】ロックが解除された状態の断面図。
【図３６】メモリーカード蓋を閉じた状態の蓋回動機構の断面図。
【図３７】メモリーカード蓋を半開きした状態の蓋回動機構の断面図。
【図３８】メモリーカード蓋を開いた状態の蓋回動機構の断面図。
【図３９】メモリーカード蓋を閉じた状態のクリック機構の断面図。
【図４０】メモリーカード蓋を半開きした状態のクリック機構の断面図。
【図４１】メモリーカード蓋を開いた状態のクリック機構の断面図。
【図４２】メモリーカード蓋を開いた状態の斜視図。
【図４３】従来例の説明図。
【図４４】従来例の説明図。
【図４５】他の従来例の説明図。
【図４６】他の従来例の説明図。
【符号の説明】
【００７５】
１…デジタルカメラ、２…筐体、３…第１の主面、４…撮像レンズ、６８…筐体の端面、６９…バッテリー収納部、６９ａ…開口部、１１１…バッテリー、１６１…バッテリー排出用のバネ、１６２…バネ力発生部、、１６３…第１のアーム部、１６４…第２のアーム部、１６５…第１の軸部、１６６…第２の軸部、１７１…バネ取付部、１７２…第１の軸受部、１７３…第２の軸受部。
【図１Ａ】
2006220785.tif 000003
【図１Ｂ】
2006220785.tif 000004
【図２Ａ】
2006220785.tif 000005
【図２Ｂ】
2006220785.tif 000006
【図３】
2006220785.tif 000007
【図４】
2006220785.tif 000008
【図５】
2006220785.tif 000009
【図６】
2006220785.tif 000010
【図７】
2006220785.tif 000011
【図８】
2006220785.tif 000012
【図９】
2006220785.tif 000013
【図１０】
2006220785.tif 000014
【図１１】
2006220785.tif 000015
【図１２】
2006220785.tif 000016
【図１３】
2006220785.tif 000017
【図１４】
2006220785.tif 000018
【図１５】
2006220785.tif 000019
【図１６】
2006220785.tif 000020
【図１７】
2006220785.tif 000021
【図１８】
2006220785.tif 000022
【図１９Ａ】
2006220785.tif 000023
【図１９Ｂ】
2006220785.tif 000024
【図２０】
2006220785.tif 000025
【図２１】
2006220785.tif 000026
【図２２】
2006220785.tif 000027
【図２３】
2006220785.tif 000028
【図２４】
2006220785.tif 000029
【図２５Ａ】
2006220785.tif 000030
【図２５Ｂ】
2006220785.tif 000031
【図２５Ｃ】
2006220785.tif 000032
【図２６】
2006220785.tif 000033
【図２７】
2006220785.tif 000034
【図２８】
2006220785.tif 000035
【図２９】
2006220785.tif 000036
【図３０】
2006220785.tif 000037
【図３１】
2006220785.tif 000038
【図３２】
2006220785.tif 000039
【図３３】
2006220785.tif 000040
【図３４】
2006220785.tif 000041
【図３５】
2006220785.tif 000042
【図３６】
2006220785.tif 000043
【図３７】
2006220785.tif 000044
【図３８】
2006220785.tif 000045
【図３９】
2006220785.tif 000046
【図４０】
2006220785.tif 000047
【図４１】
2006220785.tif 000048
【図４２】
2006220785.tif 000049
【図４３】
2006220785.tif 000050
【図４４】
2006220785.tif 000051
【図４５】
2006220785.tif 000052
【図４６】
2006220785.tif 000053
【手続補正書】
【提出日】平成18年3月10日(2006.3.10)
【手続補正１】
【補正対象書類名】明細書
【補正対象項目名】００３１
【補正方法】変更
【補正の内容】
【００３１】
図２３に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図２５Ａ，図２５Ｂ， 図２５Ｃに示すように筐体２側に設けたバネ当接面１０３に接触している。
【手続補正２】
【補正対象書類名】明細書
【補正対象項目名】００３２
【補正方法】変更
【補正の内容】
【００３２】
前記バッテリー蓋７０の閉塞時においては、図２５Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図２５Ａに示す状態から前記バッテリー蓋７０を開放方向（矢印Ｂ方向）に回動させると、前記バネ部１０２は前記バネ当接面１０３で押されて変形して行き、図２５Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図２５ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図２５Ｃに示すように、前記ストラップ金具７２に押し付けられて、前記筐体２の開口部６９ａを開放した状態に維持される。
（４）バッテリーリリースレバーの構成、
前記バッテリーリリースレバー７１は、図２１、図２２に示すように、一端部に設けたバッテリー係合部１０６が前記バッテリー収納部６９の開口部６９ａの一部を塞ぐ位置と前記開口部６９ａを開放する位置との間でスライド可能に前記第３の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【手続補正３】
【補正対象書類名】明細書
【補正対象項目名】００４９
【補正方法】変更
【補正の内容】
【００４９】
前記スイッチ操作体２４は、板バネを略くの字状に折り曲げることにより形成されている。前記スイッチ操作体２４の一側部には、該スイッチ操作体２４を前記ベースプレート２１に取付けるための取付基部３４が設けられている。前記取付基部３４には前記第１のバリヤ係合体取付部３１に設けたボス部３３を挿入する複数のボス挿入孔３５が設けられている。
【手続補正４】
【補正対象書類名】明細書
【補正対象項目名】００６４
【補正方法】変更
【補正の内容】
【００６４】
図１９Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図１９（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第２，第４のローラ収容部９７から脱落するのを防止している前記略コ字状のクリップ９８で構成されている。
【手続補正５】
【補正対象書類名】明細書
【補正対象項目名】００６８
【補正方法】変更
【補正の内容】
【００６８】
前記ストラップ金具７２は、図２及び図２１に示すように、前記筐体２の端面６８の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【手続補正６】
【補正対象書類名】明細書
【補正対象項目名】００６９
【補正方法】変更
【補正の内容】
【００６９】
図３２は、前記マルチコネクター接続端子７３に接続するマルチコネクター１２１を示す。前記マルチコネクター１２１は、ＤＣ入力端子１２２と、ＵＳＢ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。  
【手続補正７】
【補正対象書類名】明細書
【補正対象項目名】００７１
【補正方法】変更
【補正の内容】
【００７１】
図３４は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａ´による前記係合部１２７の先端の傾斜面１２７ａの押圧が解除されると、前記係合部１２７は、前記バネ１２９の付勢力で自動的に回動して前記溝状の被係合部１１５に係合する。  
【手続補正８】
【補正対象書類名】明細書
【補正対象項目名】００７３
【補正方法】変更
【補正の内容】
【００７３】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図１７〜図３１等は、撮像装置の各部を平面的或いは立体的に見たものであり、曲面や傾斜面、円筒面等については曲率半径や傾斜角度等に若干の相違があるがそれは作図上のものであって同一符合部分は同一の部分を示す。また、図１、図２等の撮像装置の立体図と、図２１、図２２等に示す撮像装置の立体図との間において、曲面や傾斜面、円筒面等についても曲率半径や傾斜角度等に若干の相違があるがこれも作図上のものである。また、断面図において、一部、ハッチング線を省略した。
【手続補正９】
【補正対象書類名】明細書
【補正対象項目名】００７４
【補正方法】変更
【補正の内容】
【００７４】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】第１の実施例のバッテリー排出用のバネの斜視図。
【図４】バッテリー排出用のバネの平面図。
【図５】バッテリー排出用のバネの側面図。
【図６】バッテリー排出用のバネを取付けた状態の斜視図。
【図７】バッテリー排出用のバネの作用を説明するための模式図。
【図８】バッテリーが挿入される前のバッテリー排出用のバネの状態を示す側面図。
【図９】バッテリーが挿入されてバッテリー排出用のバネが押された状態を示す側面図。
【図１０】バッテリーが収納された後のバッテリー排出用のバネの状態を示す側面図。
【図１１】第１のアーム部を予め湾曲させた場合の側面図。
【図１２】湾曲させた第１のアーム部がバッテリーによって一直線状に伸びた状態の側面図。
【図１３】バッテリー排出用のバネの第２の実施例の斜視図。
【図１４】バッテリー排出用のバネの第３の実施例の斜視図。
【図１５】バッテリー排出用のバネの第４の実施例の斜視図
【図１６】バリヤを取外した状態の斜視図。
【図１７】バリヤの分解斜視図。
【図１８】ローラの取付けを示す斜視図。
【図１９Ａ】トグルバネの作用を示す説明図。
【図１９Ｂ】トグルバネの作用を示す説明図。
【図２０】トグルバネの説明図。
【図２１】バッテリー蓋を閉じた状態の斜視図。
【図２２】バッテリー蓋を開いた状態の斜視図。
【図２３】バッテリー蓋と軸を示す斜視図。
【図２４】バッテリー蓋に軸を取付けた状態の正面図。
【図２５Ａ】軸の一端部に設けたバネ部の作用を示す説明図。
【図２５Ｂ】軸の一端部に設けたバネ部の作用を示す説明図。
【図２５Ｃ】軸の一端部に設けたバネ部の作用を示す説明図。
【図２６】バッテリー蓋を開いてバッテリーを収納する前の状態を示す斜視図。
【図２７】バッテリーを収納しバッテリー蓋を閉じた状態を示す斜視図。
【図２８】バッテリーリリースレバーが押し戻せなくなった状態を示す説明図。
【図２９】バッテリー収納部内の端子によりバッテリーが押出された状態の説明図。
【図３０】バッテリーリリースレバーでバッテリーを押出す状態を示す説明図。
【図３１】ストラップ金具の側面図。
【図３２】カメラにマルチコネクターを取付ける前の状態の斜視図。
【図３３】カメラにマルチコネクターを取付けた状態の斜視図。
【図３４】マルチコネクターがストラップ金具にロックされる前の状態の断面図。
【図３５】マルチコネクターがストラップ金具にロックされた後の状態の断面図。
【図３６】メモリーカード蓋を閉じた状態の蓋回動機構の断面図。
【図３７】メモリーカード蓋を半開きした状態の蓋回動機構の断面図。
【図３８】メモリーカード蓋を開いた状態の蓋回動機構の断面図。
【図３９】メモリーカード蓋を閉じた状態のクリック機構の断面図。
【図４０】メモリーカード蓋を半開きした状態のクリック機構の断面図。
【図４１】メモリーカード蓋を開いた状態のクリック機構の断面図。
【図４２】メモリーカード蓋を開いた状態の斜視図。
【図４３】従来例の説明図。
【図４４】従来例の説明図。
【図４５】他の従来例の説明図。
【図４６】他の従来例の説明図。
【手続補正１０】
【補正対象書類名】図面
【補正対象項目名】図２１
【補正方法】変更
【補正の内容】
【図２１】
2006220785.tif 000054
【手続補正１１】
【補正対象書類名】図面
【補正対象項目名】図３４
【補正方法】変更
【補正の内容】
【図３４】
2006220785.tif 000055